(57)【特許請求の範囲】
【請求項１】
互いに異なるアンテナでの受信に基づく中間周波数信号を生成する複数の中間周波数信号生成手段と、
複数の前記中間周波数信号を合成して、マルチパス成分の除去処理がなされた中間周波数信号を生成するマルチパス成分除去手段と、
前記マルチパス成分の除去処理がなされた中間周波数信号による受信中に、いずれかの前記中間周波数信号生成手段の中間周波数信号による受信へ切り替え、受信に用いない残りの前記中間周波数信号生成手段により、受信中の周波数とは異なる他の周波数をスキャンさせる制御手段と、
前記複数の中間周波数信号生成手段により生成される複数の中間周波数信号および前記マルチパス成分除去手段により生成される中間周波数信号を復調して複数のベースバンド信号を生成する複数のベースバンド信号生成手段と、前記ベースバンド信号から受信の音声信号を生成する音声信号生成手段と、
を有し、
前記制御手段は、前記マルチパス成分除去手段の処理に基づくベースバンド信号の受信状況を示す値から、前記各中間周波数信号生成手段の処理に基づく各ベースバンド信号の受信状況を示す値を減算することで、前記マルチパス成分除去手段による各中間周波数信号に対するマルチパス成分の除去機能の稼働率を算出し、前記複数の中間周波数信号生成手段の中で、マルチパス成分除去機能の稼働率が最も低い中間周波数信号生成手段を受信用として選択して切り替え、  
前記音声信号生成手段は、前記選択された１つの中間周波数信号を復調して得られるベースバンド信号から、受信の音声信号を生成し、
前記制御手段は、前記複数の中間周波数信号生成手段による複数の中間周波数信号のすべてについて前記マルチパス成分除去機能の稼働率が高く、且つ、前記マルチパス成分除去手段による中間周波数信号の受信状況が良好である場合、他の周波数をスキャンする際に、前記音声信号生成手段によりノイズを緩和するための音響効果処理をさせること、
を特徴とする受信機。
【請求項２】
前記制御手段は、他の周波数のスキャン中に受信する信号の受信状況が悪化したらスキャンを中止し、前記マルチパス成分の除去処理がなされた中間周波数信号による受信へ戻すこと、を特徴とする請求項１項記載の受信機。
【請求項３】
互いに異なるアンテナでの受信に基づく中間周波数信号を生成する複数の中間周波数信号生成手段と、
複数の前記中間周波数信号を合成して、マルチパス成分の除去処理がなされた中間周波数信号を生成するマルチパス成分除去手段と、
前記マルチパス成分の除去処理がなされた中間周波数信号による受信中に、いずれかの前記中間周波数信号生成手段の中間周波数信号による受信へ切り替え、受信に用いない残りの前記中間周波数信号生成手段により、受信中の周波数とは異なる他の周波数をスキャンさせる制御手段と、
前記複数の中間周波数信号生成手段により生成される複数の中間周波数信号および前記マルチパス成分除去手段により生成される中間周波数信号を復調して複数のベースバンド信号を生成する複数のベースバンド信号生成手段と、前記ベースバンド信号から、受信の音声信号を生成する音声信号生成手段と、
を有し、
前記制御手段は、前記マルチパス成分除去手段の処理に基づくベースバンド信号の受信状況を示す値から、前記各中間周波数信号生成手段の処理に基づく各ベースバンド信号の受信状況を示す値を減算することで、前記マルチパス成分除去手段による各中間周波数信号に対するマルチパス成分の除去機能の稼働率を算出し、前記複数の中間周波数信号生成手段の中で、マルチパス成分除去機能の稼働率が最も低い中間周波数信号生成手段を受信用として選択して切り替え、
前記音声信号生成手段は、前記選択された１つの中間周波数信号を復調して得られるベースバンド信号から、受信の音声信号を生成し、
前記制御手段は、前記複数の中間周波数信号生成手段による複数の中間周波数信号のすべてについて前記マルチパス成分除去機能の稼働率が高く、且つ、前記マルチパス成分除去手段による中間周波数信号の受信状況が良好でない場合、他の周波数をスキャンする際に、前記音声信号生成手段による音声信号の出力をミュートするとともに、前記複数の中間周波数信号生成手段により他の周波数をスキャンさせること、
を特徴とする受信機。
【請求項４】
前記制御手段は、受信中の周波数より受信状況が良好な他の周波数がスキャンされたら、受信周波数をそのスキャンされた周波数へ切り替えること、
を特徴とする請求項１〜３のいずれか１項記載の受信機。
【請求項５】
複数の中間周波数信号生成手段が、互いに異なるアンテナでの受信に基づく中間周波数信号を生成する中間周波数信号生成ステップと、
マルチパス成分除去手段が、複数の前記中間周波数信号を合成して、マルチパス成分の除去処理がなされた中間周波数信号を生成するマルチパス成分除去ステップと、
制御手段が、前記マルチパス成分の除去処理がなされた中間周波数信号による受信中に、いずれかの前記中間周波数信号生成手段の中間周波数信号による受信へ切り替え、受信に用いない残りの前記中間周波数信号生成手段により、受信中の周波数とは異なる他の周波数をスキャンさせる制御ステップと、
複数のベースバンド信号生成手段が、前記複数の中間周波数信号生成手段により生成される複数の中間周波数信号および前記マルチパス成分除去手段により生成される中間周波数信号を復調して複数のベースバンド信号を生成するベースバンド信号生成ステップと、
音声信号生成手段が、前記ベースバンド信号から受信の音声信号を生成する音声生成ステップと、
を有し、
前記制御ステップは、前記マルチパス成分除去手段の処理に基づくベースバンド信号の受信状況を示す値から、前記各中間周波数信号生成手段の処理に基づく各ベースバンド信号の受信状況を示す値を減算することで、前記マルチパス成分除去手段による各中間周波数信号に対するマルチパス成分の除去機能の稼働率を算出し、前記複数の中間周波数信号生成手段の中で、マルチパス成分除去機能の稼働率が最も低い中間周波数生成手段を受信用として選択して切り替え、  
音声信号生成手段が、前記選択された１つの中間周波数信号を復調して得られるベースバンド信号から、受信の音声信号を生成する音声信号生成し、
前記制御ステップは、前記複数の中間周波数信号生成手段による複数の中間周波数信号のすべてについて前記マルチパス成分除去機能の稼働率が高く、且つ、前記マルチパス成分除去手段による中間周波数信号の受信状況が良好である場合、他の周波数をスキャンする際に、前記音声信号生成手段によりノイズを緩和するための音響効果処理をさせること、
を特徴とする周波数スキャン方法。
【請求項６】
複数の中間周波数信号生成手段が、互いに異なるアンテナでの受信に基づく中間周波数信号を生成する中間周波数信号生成ステップと、
マルチパス成分除去手段が、複数の前記中間周波数信号を合成して、マルチパス成分の除去処理がなされた中間周波数信号を生成するマルチパス成分除去ステップと、
制御手段が、前記マルチパス成分の除去処理がなされた中間周波数信号による受信中に、いずれかの前記中間周波数信号生成手段の中間周波数信号による受信へ切り替え、受信に用いない残りの前記中間周波数信号生成手段により、受信中の周波数とは異なる他の周波数をスキャンさせる制御ステップと、
複数のベースバンド信号生成手段が、前記複数の中間周波数信号生成手段により生成される複数の中間周波数信号および前記マルチパス成分除去手段により生成される中間周波数信号を復調して複数のベースバンド信号を生成するベースバンド信号生成ステップと、
音声信号生成手段が、前記ベースバンド信号から、受信の音声信号を生成する音声信号生成ステップと、
を有し、
前記制御ステップは、前記マルチパス成分除去手段の処理に基づくベースバンド信号の受信状況を示す値から、前記各中間周波数信号生成手段の処理に基づく各ベースバンド信号の受信状況を示す値を減算することで、前記マルチパス成分除去手段による各中間周波数信号に対するマルチパス成分の除去機能の稼働率を算出し、前記複数の中間周波数信号生成手段の中で、マルチパス成分除去機能の稼働率が最も低い中間周波数信号生成手段段を受信用として選択して切り替え、  
音声信号生成手段が、前記選択された１つの中間周波数信号を復調して得られるベースバンド信号から、受信の音声信号を生成し、
前記制御ステップは、前記複数の中間周波数信号生成手段による複数の中間周波数信号のすべてについて前記マルチパス成分除去機能の稼働率が高く、且つ、前記マルチパス成分除去手段による中間周波数信号の受信状況が良好でない場合、他の周波数をスキャンする際に、前記音声信号生成手段による音声信号の出力をミュートするとともに、前記複数の中間周波数信号生成手段により他の周波数をスキャンさせること、
を特徴とする周波数スキャン方法。
【発明の詳細な説明】
【技術分野】
【０００１】
本発明は、受信機および周波数スキャン方法に関する。
【背景技術】
【０００２】
特許文献１は、マルチパス処理部を有し、マルチパスを検出すると、マルチパス除去動作をする受信機を開示する。
【０００３】
【特許文献１】特開２００６−１０９１８６号公報（要約、発明の詳細な説明など）
【発明の開示】
【発明が解決しようとする課題】
【０００４】
しかしながら、特許文献１の受信機では、マルチパス除去動作を開始すると、２つのチューナの周波数は受信周波数に固定されてしまう。そのため、受信機に空きチューナが無く、受信機は、空きチューナによって他の周波数をスキャンすることができない。
【０００５】
たとえば２つのチューナの中の少なくとも一方の受信状態が受信周波数において良好となって、マルチパス除去動作が解除されるまで、受信機は、他の周波数をスキャンすることができない。
【０００６】
その結果、一旦マルチパス除去動作に入ってしまうと、特許文献１の受信機では、受信中の周波数以外の周波数で良好な受信が可能なものが存在したとしても、受信周波数をその良好な周波数へ切り替えることができなくなってしまう。
【０００７】
本発明は、マルチパス除去動作中において、その受信中の周波数以外の周波数への切替ができる受信機および周波数スキャン方法を得ることを目的とする。
【課題を解決するための手段】
【０００８】
本発明に係る受信機は、互いに異なるアンテナでの受信に基づく中間周波数信号を生成する複数の中間周波数信号生成手段と、複数の中間周波数信号を合成して、マルチパス成分の除去処理がなされた中間周波数信号を生成するマルチパス成分除去手段と、マルチパス成分の除去処理がなされた中間周波数信号による受信中に、いずれかの中間周波数信号生成手段の中間周波数信号による受信へ切り替え、受信に用いない残りの中間周波数信号生成手段により、受信中の周波数とは異なる他の周波数をスキャンさせる制御手段と、複数の中間周波数信号生成手段により生成される複数の中間周波数信号およびマルチパス成分除去手段により生成される中間周波数信号を復調して複数のベースバンド信号を生成する複数のベースバンド信号生成手段と、ベースバンド信号から受信の音声信号を生成する音声信号生成手段と、を有し、制御手段は、マルチパス成分除去手段の処理に基づくベースバンド信号の受信状況を示す値から、各中間周波数信号生成手段の処理に基づく各ベースバンド信号の受信状況を示す値を減算することで、マルチパス成分除去手段による各中間周波数信号に対するマルチパス成分の除去機能の稼働率を算出し、複数の中間周波数信号生成手段の中で、マルチパス成分除去機能の稼働率が最も低い中間周波数信号生成手段を受信用として選択して切り替え、音声信号生成手段は、選択された１つの中間周波数信号を復調して得られるベースバンド信号から、受信の音声信号を生成し、制御手段は、複数の中間周波数信号生成手段による複数の中間周波数信号のすべてについてマルチパス成分除去機能の稼働率が高く、且つ、マルチパス成分除去手段による中間周波数信号の受信状況が良好である場合、他の周波数をスキャンする際に、音声信号生成手段によりノイズを緩和するための音響効果処理をさせる。
【０００９】
本発明に係る受信機は、上述した発明の構成に加えて以下の特徴を有するものである。すなわち、制御手段は、他の周波数のスキャン中に受信する信号の受信状況が悪化したらスキャンを中止し、前記マルチパス成分の除去処理がなされた中間周波数信号による受信へ戻す。
【００１０】
本発明に係る受信機は、互いに異なるアンテナでの受信に基づく中間周波数信号を生成する複数の中間周波数信号生成手段と、複数の中間周波数信号を合成して、マルチパス成分の除去処理がなされた中間周波数信号を生成するマルチパス成分除去手段と、マルチパス成分の除去処理がなされた中間周波数信号による受信中に、いずれかの中間周波数信号生成手段の中間周波数信号による受信へ切り替え、受信に用いない残りの中間周波数信号生成手段により、受信中の周波数とは異なる他の周波数をスキャンさせる制御手段と、複数の中間周波数信号生成手段により生成される複数の中間周波数信号およびマルチパス成分除去手段により生成される中間周波数信号を復調して複数のベースバンド信号を生成する複数のベースバンド信号生成手段と、ベースバンド信号から、受信の音声信号を生成する音声信号生成手段と、を有し、制御手段は、マルチパス成分除去手段の処理に基づくベースバンド信号の受信状況を示す値から、各中間周波数信号生成手段の処理に基づく各ベースバンド信号の受信状況を示す値を減算することで、マルチパス成分除去手段による各中間周波数信号に対するマルチパス成分の除去機能の稼働率を算出し、複数の中間周波数信号生成手段の中で、マルチパス成分除去機能の稼働率が最も低い中間周波数信号生成手段を受信用として選択して切り替え、音声信号生成手段は、選択された１つの中間周波数信号を復調して得られるベースバンド信号から、受信の音声信号を生成し、制御手段は、複数の中間周波数信号生成手段による複数の中間周波数信号のすべてについてマルチパス成分除去機能の稼働率が高く、且つ、マルチパス成分除去手段による中間周波数信号の受信状況が良好でない場合、他の周波数をスキャンする際に、音声信号生成手段による音声信号の出力をミュートするとともに、複数の中間周波数信号生成手段により他の周波数をスキャンさせるものである。
【００１１】
本発明に係る発明は、上述した発明の構成に加えて以下の特徴を有するものである。すなわち、制御手段は、受信中の周波数より受信状況が良好な他の周波数がスキャンされたら、受信周波数をそのスキャンされた周波数へ切り替える。
【００１２】
本発明に係る周波数スキャン方法は、複数の中間周波数信号生成手段が、互いに異なるアンテナでの受信に基づく中間周波数信号を生成する中間周波数信号生成ステップと、マルチパス成分除去手段が、複数の前記中間周波数信号を合成して、マルチパス成分の除去処理がなされた中間周波数信号を生成するマルチパス成分除去ステップと、制御手段が、前記マルチパス成分の除去処理がなされた中間周波数信号による受信中に、いずれかの中間周波数信号生成手段の中間周波数信号による受信へ切り替え、受信に用いない残りの中間周波数信号生成手段により、受信中の周波数とは異なる他の周波数をスキャンさせる制御ステップと、複数のベースバンド信号生成手段が、複数の中間周波数信号生成手段により生成される複数の中間周波数信号およびマルチパス成分除去手段により生成される中間周波数信号を復調して複数のベースバンド信号を生成するベースバンド信号生成ステップと、音声信号生成手段が、ベースバンド信号から受信の音声信号を生成する音声生成ステップと、を有し、制御ステップは、マルチパス成分除去手段の処理に基づくベースバンド信号の受信状況を示す値から、各中間周波数信号生成手段の処理に基づく各ベースバンド信号の受信状況を示す値を減算することで、マルチパス成分除去手段による各中間周波数信号に対するマルチパス成分の除去機能の稼働率を算出し、複数の中間周波数信号生成手段の中で、マルチパス成分除去機能の稼働率が最も低い中間周波数生成手段を受信用として選択して切り替え、音声信号生成手段が、選択された１つの中間周波数信号を復調して得られるベースバンド信号から、受信の音声信号を生成する音声信号生成し、制御ステップは、複数の中間周波数信号生成手段による複数の中間周波数信号のすべてについてマルチパス成分除去機能の稼働率が高く、且つ、マルチパス成分除去手段による中間周波数信号の受信状況が良好である場合、他の周波数をスキャンする際に、音声信号生成手段によりノイズを緩和するための音響効果処理をさせる。
【００１３】
本発明に係る周波数スキャン方法は、複数の中間周波数信号生成手段が、互いに異なるアンテナでの受信に基づく中間周波数信号を生成する中間周波数信号生成ステップと、マルチパス成分除去手段が、複数の中間周波数信号を合成して、マルチパス成分の除去処理がなされた中間周波数信号を生成するマルチパス成分除去ステップと、制御手段が、マルチパス成分の除去処理がなされた中間周波数信号による受信中に、いずれかの中間周波数信号生成手段の中間周波数信号による受信へ切り替え、受信に用いない残りの中間周波数信号生成手段により、受信中の周波数とは異なる他の周波数をスキャンさせる制御ステップと、複数のベースバンド信号生成手段が、複数の中間周波数信号生成手段により生成される複数の中間周波数信号およびマルチパス成分除去手段により生成される中間周波数信号を復調して複数のベースバンド信号を生成するベースバンド信号生成ステップと、音声信号生成手段が、ベースバンド信号から、受信の音声信号を生成する音声信号生成ステップと、を有し、制御ステップは、マルチパス成分除去手段の処理に基づくベースバンド信号の受信状況を示す値から、各中間周波数信号生成手段の処理に基づく各ベースバンド信号の受信状況を示す値を減算することで、マルチパス成分除去手段による各中間周波数信号に対するマルチパス成分の除去機能の稼働率を算出し、複数の中間周波数信号生成手段の中で、マルチパス成分除去機能の稼働率が最も低い中間周波数信号生成手段段を受信用として選択して切り替え、音声信号生成手段が、選択された１つの中間周波数信号を復調して得られるベースバンド信号から、受信の音声信号を生成し、制御ステップは、複数の中間周波数信号生成手段による複数の中間周波数信号のすべてについてマルチパス成分除去機能の稼働率が高く、且つ、マルチパス成分除去手段による中間周波数信号の受信状況が良好でない場合、他の周波数をスキャンする際に、音声信号生成手段による音声信号の出力をミュートするとともに、複数の中間周波数信号生成手段により他の周波数をスキャンさせる。
【発明の効果】
【００１６】
本発明では、マルチパス除去動作中に、いずれかの中間周波数信号生成手段の中間周波数信号による受信へ切り替え、受信に用いない残りの中間周波数信号生成手段により受信中の周波数とは異なる他の周波数をスキャンさせるので、マルチパス除去動作中にその受信中の周波数以外の周波数への切替ができる。
【発明を実施するための最良の形態】
【００１７】
以下、本発明の実施の形態に係る受信機および周波数スキャン方法を、図面に基づいて説明する。受信機は、ＲＤＳ（Ｒａｄｉｏ  Ｄａｔａ  Ｓｙｓｔｅｍ）ラジオ放送受信機を例に説明する。周波数スキャン方法は、このＲＤＳラジオ放送受信機の動作の一部として説明する。
【００１８】
図１は、本発明の実施の形態に係るＲＤＳラジオ放送受信機１を示すブロック図である。このＲＤＳラジオ放送受信機１は、自動車などの移動体に装着されたり、移動する人に携帯さたりすれる。そして、このＲＤＳラジオ放送受信機１は、移動に伴う電波の受信環境の変化に応じて最適な受信を実現するために、２アンテナおよび２チューナによるダイバーシティ方式を採用している。
【００１９】
なお、ＲＤＳラジオ放送では、各放送周波数帯（放送局）の放送電波として、放送する音声信号とＲＤＳデータ（デジタルデータ）とが放送される。ＲＤＳデータには、たとえば放送中の楽曲名、放送中のアーティスト名などの情報が含まれる。ＲＤＳラジオ放送受信機１は、このＲＤＳデータに基づいて、受信中の楽曲名やアーティスト名などを表示デバイス４８などに表示することができる。
【００２０】
ＲＤＳラジオ放送受信機１は、第一ＩＦ（中間周波数）部１１および第二ＩＦ部１２の２つのＩＦ部と、第一復調部１３および第二復調部１４の２つの復調部と、を有する。ＲＤＳラジオ放送受信機１は、この他にも、ＭＰ（マルチパス）ノイズ除去回路１５、ＭＰ用復調部１６、出力セレクタ１７、ＤＡＣ１８（Ｄｉｇｉｔａｌ  ｔｏ  Ａｎａｌｏｇ  Ｃｏｎｖｅｒｔｏｒ）、スピーカ１９などを有する。なお、このＲＤＳラジオ放送受信機１において、第一ＩＦ部１１および第一復調部１３により１つ目のチューナが構成され、第二ＩＦ部１２および第二復調部１４により２つ目のチューナが構成される。
【００２１】
複数の中間周波数信号生成手段としての第一ＩＦ部１１および第二ＩＦ部１２の２つのＩＦ部は、ＲＤＳラジオ放送電波を受信する受信アンテナ２１、フロントエンド回路２２、ＩＦアンプ２３、ＡＤコンバータ１４、およびＩＦフィルタ２５を有する。フロントエンド回路２２は、受信アンテナ２１が受信する所望のＲＤＳラジオ放送電波（放送周波数帯）を抽出するとともに周波数変換を行ってＩＦ信号を生成する。ＩＦアンプ２３は、生成されたＩＦ信号を増幅する。ＡＤコンバータ１４は、増幅されたＩＦ信号をサンプリングし、ＩＦデータへ変換する。ＩＦフィルタ２５は、ＩＦデータに対するデジタルフィルタリング処理により、１つの放送周波数帯に相当する帯域の信号成分を抽出する。第一ＩＦ部１１および第二ＩＦ部１２は、それぞれのＩＦフィルタ２５により生成されるＩＦデータの信号（ＩＦデータ信号）を出力する。
【００２２】
なお、第一ＩＦ部１１の受信アンテナ２１と第二ＩＦ部１２の受信アンテナ２１とは、空間的に互いに異なる位置（たとえば車両の左右の側面など）に配設されたり、空間的に互いに所定の角度（たとえば９０度）をなすように配設されたりする。この２つの受信アンテナ２１の中の一方を受信状況に応じて選択することにより、図１のＲＤＳラジオ放送受信機１では、２つのＩＦ部１１，１２による空間ダイバーシティ方式が実現される。
【００２３】
マルチパス成分除去手段としてのＭＰノイズ除去回路１５は、第一ＩＦ部１１が生成したＩＦデータ信号と、第二ＩＦ部１２が生成したＩＦデータ信号とを用いて、これらが受信した受信電波中に含まれるマルチパス成分を除去する処理を実行する。
【００２４】
なお、マルチパス成分とは、１つの受信アンテナ２１が、たとえば電波塔から出力された放送電波（直接波）と、ビルなどにより反射された放送電波（反射波）とを同時に受信する場合に生じるものであり、その反射波による信号の歪成分である。
【００２５】
そして、ＭＰノイズ除去回路１５は、まず、たとえば第一ＩＦ部１１と第二ＩＦ部１２とが同じ直接波を同相で受信していると仮定した上で、それらのＩＦデータ信号の歪成分を反射波の成分として抽出し、次に、一方のＩＦデータ信号から、その抽出した歪成分（あるいはそれを増幅したもの）を減算する。このようなマルチパス成分の除去処理により、ＭＰノイズ除去回路１５は、マルチパスによる歪成分（反射波成分）が抑制されたＩＦデータ信号を生成する。
【００２６】
第一復調部１３および第二復調部１４の２つの復調部、並びにＭＰ用復調部１６は、ＦＭ復調回路３１と、ＦＭ処理部３２と、を有する。ＦＭ復調回路３１は、ベースバンド信号生成手段として機能するものであり、第一ＩＦ部１１、第二ＩＦ部１２あるいはＭＰノイズ除去回路１５により生成されたＩＦデータ信号を復調し、ベースバンド信号を出力する。ＦＭ処理部３２は、音声信号生成手段の一部として機能するものであり、復調されたベースバンド信号に対して、ステレオ復調処理、ステレオブレンド処理、ｆ特調整処理、ソフトミュート処理、ミュート処理などの音響効果処理をし、１つの音声データを出力する。また、これらの音響効果処理の選択および有無は、制御部により制御される。第一復調部１３、第二復調部１４およびＭＰ用復調部１６は、それぞれが生成した音声データを出力セレクタ１７へ出力する。
【００２７】
出力セレクタ１７は、第一復調部１３から入力される音声データ、第二復調部１４から入力される音声データ、およびＭＰ用復調部１６から入力される音声データの中から１つを選択し、ＤＡＣ１８へ出力する。
【００２８】
音声信号生成手段の一部としてのＤＡＣ１８は、入力される音声データをアナログの音声信号へ変換し、出力する。
【００２９】
スピーカ１９は、ＤＡＣ１８に接続される。スピーカ１９は、ＤＡＣ１８が出力する音声信号により駆動され、音を出力する。
【００３０】
以上の構成により、ＲＤＳラジオ放送受信機１は、ＲＤＳラジオ放送電波を受信し、その放送電波に重畳された音声をスピーカ１９から出力することができる。すなわち、ＲＤＳラジオ放送受信機１は、出力セレクタ１７において、第一ＩＦ部１１および第一復調部１３（１つ目のチューナ）により生成された放送データに基づく音声データと、第二ＩＦ部１２および第二復調部１４（２つ目のチューナ）により生成された放送データに基づく音声データと、ＭＰノイズ除去回路１５およびＭＰ用復調部１６により生成された放送データに基づく音声データとの中から１つを選択し、その選択した音声データに基づく音声を出力する。
【００３１】
以下において、第一ＩＦ部１１が生成するＩＦデータ信号に基づいて第一復調部１３のＦＭ復調回路３１が生成する放送データを第一放送データとよび、第二ＩＦ部１２が生成するＩＦデータ信号に基づいて第二復調部１４のＦＭ復調回路３１が生成する放送データを第二放送データとよび、第一ＩＦ部１１が生成するＩＦデータ信号および第二ＩＦ部１２が生成するＩＦデータ信号に基づいてＭＰ用復調部１６のＦＭ復調回路３１が生成する放送データをＭＰ除去放送データとよぶ。なお、各放送データには、音声信号やＲＤＳデータなどが含まれている。
【００３２】
ＲＤＳラジオ放送受信機１は、この他にも、第一受信状況検出回路４１、第一ＲＤＳ復号器４２、第二受信状況検出回路４３、第二ＲＤＳ復号器４４、ＭＰ受信状況検出回路４５、ＭＰＲＤＳ復号器４６、制御部４７などを有する。
【００３３】
第一受信状況検出回路４１は、第一放送データに基づいて、第一ＩＦ部１１による電波の受信状況を検出する。第二受信状況検出回路４３は、第二放送データに基づいて、第二ＩＦ部１２による電波の受信状況を検出する。ＭＰ受信状況検出回路４５は、ＭＰ除去放送データに基づいて、第二ＩＦ部１２による電波の受信状況を検出する。これらの各受信状況検出回路４１，４３，４５は、それぞれが対象とする放送データを解析し、たとえば受信電界強度、マルチパス、隣接信号、変調度、デチューニング、受信クオリティなどを検出する。各受信状況検出回路４１，４３，４５は、それぞれの検出値を制御部４７へ出力する。
【００３４】
第一ＲＤＳ復号器４２は、第一放送データに含まれているＲＤＳデータを復号する。第二ＲＤＳ復号器４４は、第二放送データに含まれているＲＤＳデータを復号する。ＭＰＲＤＳ復号器４６は、ＭＰ除去放送データに含まれているＲＤＳデータを復号する。また、これらの各ＲＤＳ復号器４２，４４，４６は、ＲＤＳデータの復号の際に、ＲＤＳ復号クオリティの検出値、エラー訂正の検出値などを演算する。そして、各ＲＤＳ復号器４２，４４，４６は、復号したＲＤＳデータと、各種の検出値とを制御部４７へ出力する。
【００３５】
制御手段および演算手段としての制御部４７は、たとえば図示外のマイクロコンピュータのＣＰＵ（Ｃｅｎｔｒａｌ  Ｐｒｏｃｅｓｓｉｎｇ  Ｕｎｉｔ）がメモリに記憶されるプログラムを実行することにより実現されるものである。そして、制御部４７は、ＲＤＳラジオ放送受信機１によるＲＤＳラジオ放送電波の受信を制御する。具体的にはたとえば、制御部４７は、ＲＤＳラジオ放送電波の受信状況を判断し、その判断に応じた受信をするように、第一ＩＦ部１１のフロントエンド回路２２およびＩＦフィルタ２５と、第二ＩＦ部１２のフロントエンド回路２２およびＩＦフィルタ２５と、ＦＭ処理部３２と、出力セレクタ１７とを制御する。なお、制御部４７は、この他にＤＡＣ１８を制御するようにしてもよい。
【００３６】
次に、以上の構成を有するＲＤＳラジオ放送受信機１の動作を説明する。以下の説明では、主に、受信を開始する１つの放送電波を選択したときに、あるいは、１つの放送電波の受信している最中に、受信する放送についての選択された放送周波数帯以外の他の周波数をスキャンする動作について説明する。
【００３７】
図２は、制御部４７による受信設定の流れを示すフローチャートである。図３は、図２中のチェック処理の詳細な流れを示すフローチャートである。
【００３８】
制御部４７は、たとえばＲＤＳラジオ放送受信機１において受信する放送局（受信周波数）が選択された場合や、受信中に所定の期間が経過した場合などにおいて、図２の受信設定処理を繰り返し実行する。
【００３９】
図２において、制御部４７は、まず、それまでの受信状況などに関係なく、第一ＩＦ部１１のフロントエンド回路２２およびＩＦフィルタ２５と、第二ＩＦ部１２のフロントエンド回路２２およびＩＦフィルタ２５とを制御し、第一ＩＦ部１１および第二ＩＦ部１２による受信周波数を、選択した放送周波数に設定する（ステップＳＴ１）。
【００４０】
この選択した放送周波数の設定により、第一受信状況検出回路４１は、第一放送データに基づいて、選択した放送周波数での受信電界強度、マルチパス、隣接信号、変調度、デチューニング、受信クオリティなどを検出し、それらの検出値を制御部４７へ出力する。また、第二受信状況検出回路４３は、第二放送データに基づいて、同じ放送周波数での受信電界強度、マルチパス、隣接信号、変調度、デチューニング、受信クオリティなどを検出し、それらの検出値を制御部４７へ出力する。さらに、ＭＰ受信状況検出回路４５は、ＭＰ除去放送データに基づいて、同じ放送周波数での受信電界強度、マルチパス、隣接信号、変調度、デチューニング、受信クオリティなどを検出し、それらの検出値を制御部４７へ出力する。
【００４１】
また、第一ＲＤＳ復号器４２は、第一放送データからＲＤＳデータを復号するとともに、ＲＤＳ復号クオリティの検出値、エラー訂正の検出値などを演算し、これらを制御部４７へ出力する。第二受信状況検出回路４３は、第二放送データからＲＤＳデータを復号するとともに、ＲＤＳ復号クオリティの検出値、エラー訂正の検出値などを演算し、これらを制御部４７へ出力する。ＭＰ受信状況検出回路４５は、ＭＰ除去放送データからＲＤＳデータを復号するとともに、ＲＤＳ復号クオリティの検出値、エラー訂正の検出値などを演算し、これらを制御部４７へ出力する。
【００４２】
なお、この２チューナ受信（第一ＩＦ部１１および第二ＩＦ部１２による受信）設定では、制御部４７は、出力セレクタ１７によりＭＰ除去放送データを選択させるとともに、ＤＡＣ１８にその音声信号を出力させる。これにより、スピーカ１９からは、受信中の放送局の音声が出力される。この動作が受信中になされた場合、受信中の放送局の音声が出力され続けることになる。
【００４３】
選択した放送周波数を２つのチューナで受信するように設定した後、制御部４７は、第一受信状況検出回路４１などの検出値に基づいて、３つの放送データ（第一放送データ、第二放送データ、ＭＰ除去放送データ）の受信状況と、ＭＰノイズ除去回路１５の稼働率などを演算する（ステップＳＴ２）。
【００４４】
具体的にはたとえば、制御部４７は、下記式１を用いて、第一放送データの受信状況を示す値（第一受信状況値）と、第二放送データの受信状況を示す値（第二受信状況値）と、ＭＰ除去放送データの受信状況を示す値（ＭＰ除去受信状況値）と、を演算する。この受信状況値は、たとえば受信環境が良好であるほど大きな値となり、受信環境が悪化するほど小さな値となる。なお、受信状況値は、下記式１中の一部の検出値に基づいて演算されるものであってもよい。
【００４５】
受信状況値  ＝  （電界強度の検出値×係数１）＋（マルチパスの検出値×係数２）＋（隣接信号の検出値×係数３）＋（変調度の検出値×係数４）＋（デチューニングの検出値×係数５）＋（受信クオリティの検出値×係数６）＋（ＲＤＳ復号クオリティの検出値×係数７）＋（エラー訂正の検出値×係数８）  ・・・式１、
【００４６】
また、制御部４７は、下記式２を用いて第一放送データに対するＭＰノイズ除去回路１５の稼働率を演算し、下記式３を用いて第二放送データに対するＭＰノイズ除去回路１５の稼働率を演算する。第一放送データあるいは第二放送データにおけるマルチパス成分の割合と、ＭＰ除去放送データにおけるマルチパス成分の割合と、の差が小さいほど、稼働率の値は小さくなる。
【００４７】
第一放送データに対するＭＰノイズ除去回路１５の稼働率  ＝  ＭＰ除去受信状況値−第一受信状況値  ・・・式２、
第二放送データに対するＭＰノイズ除去回路１５の稼働率  ＝  ＭＰ除去受信状況値−第二受信状況値  ・・・式３、
【００４８】
３つの放送データの受信状況および２つの稼働率を演算した後、制御部４７は、それらの演算結果を用いて状況を判断し、その判断結果に応じた受信設定を実行する（ステップＳＴ３）。
【００４９】
図４は、制御部４７による状況判断と受信設定との関係を示すテーブルである。図４中の各列は、１組の判断内容および設定内容を示している。以下において、図４において左側から順番にパターン１、パターン２、パターン３、パターン４、パターン５、パターン６とよぶ。なお、このテーブルは、制御部４７内の図示外のメモリに記憶され、制御部４７により参照される。
【００５０】
具体的には、制御部４７は、まず、第一放送データに対するＭＰノイズ除去回路１５の稼働率と、第二放送データに対するＭＰノイズ除去回路１５の稼働率と、ＭＰ除去受信状況値とを用いて、図４のテーブルにおいて該当する１つのパターンを判断する。そして、制御部４７は、該当するパターンにおける設定内容で、受信設定を実行する。
【００５１】
たとえば、第一放送データに対するＭＰノイズ除去回路１５の稼働率が所定値より小さく（低く）、第二放送データに対するＭＰノイズ除去回路１５の稼働率が所定値より小さく（低く）、ＭＰ除去受信状況値が所定値より大きい（良好）である場合、制御部４７は、パターン１を選択し、２チューナ受信（＝ＭＰ除去放送データの受信）をするための設定、あるいはいずれか一方のチューナ受信をするための設定を実行する。
【００５２】
また、第一放送データに対するＭＰノイズ除去回路１５の稼働率が所定値より小さく（低く）、第二放送データに対するＭＰノイズ除去回路１５の稼働率が所定値より小さく（低く）、ＭＰ除去受信状況値が所定値より小さい（悪い）である場合、制御部４７は、パターン２を選択し、２チューナ受信（＝ＭＰ除去放送データの受信）をするための設定、あるいはいずれか一方のチューナ受信をするための設定を実行する。
【００５３】
また、第一放送データに対するＭＰノイズ除去回路１５の稼働率が所定値より小さく（低く）、第二放送データに対するＭＰノイズ除去回路１５の稼働率が所定値より大きく（高く）、ＭＰ除去受信状況値が所定値より大きい（良好）である場合、制御部４７は、パターン３を選択し、２チューナ受信（＝ＭＰ除去放送データの受信）をするための設定、あるいは第一放送データによる受信をするための設定を実行する。
【００５４】
また、第一放送データに対するＭＰノイズ除去回路１５の稼働率が所定値より大きく（高く）、第二放送データに対するＭＰノイズ除去回路１５の稼働率が所定値より小さく（低く）、ＭＰ除去受信状況値が所定値より大きい（良好）である場合、制御部４７は、パターン４を選択し、２チューナ受信（＝ＭＰ除去放送データの受信）をするための設定、あるいは第二放送データによる受信をするための設定を実行する。
【００５５】
また、第一放送データに対するＭＰノイズ除去回路１５の稼働率が所定値より大きく（高く）、第二放送データに対するＭＰノイズ除去回路１５の稼働率が所定値より大きく（高く）、ＭＰ除去受信状況値が所定値より大きい（良好）である場合、制御部４７は、パターン５を選択し、２チューナ受信（＝ＭＰ除去放送データの受信）をするための設定を実行する。
【００５６】
また、第一放送データに対するＭＰノイズ除去回路１５の稼働率が所定値より大きく（高く）、第二放送データに対するＭＰノイズ除去回路１５の稼働率が所定値より大きく（高く）、ＭＰ除去受信状況値が所定値より小さい（悪い）である場合、制御部４７は、パターン６を選択し、ＭＰ除去放送データの受信状態の良否に応じて、２チューナ受信（＝ＭＰ除去放送データの受信）をするための設定、あるいは第一放送データ若しくは第二放送データによる受信をするための設定を実行する。
【００５７】
選択した放送周波数についての受信設定を終えると、制御部４７は、次に、同一内容を放送する他の周波数をチェックするか否かを判断する（ステップＳＴ４）。制御部４７は、たとえばＲＤＳデータとして同一内容を放送する他の放送周波数に関する情報などを受信したり、最後のチェックから所定の時間が経過していたりした場合、他の周波数をチェックすると判断する。また、これらの状況下に無いときには、制御部４７は、他の周波数をチェックしないと判断し、図２の処理を終える。
【００５８】
図２のステップＳＴ４において他の周波数をチェックすると判断した場合、制御部４７は、図３に示すように、まず、先の状況判断に基づいて、第一ＩＦ部１１および第二ＩＦ部１２の中の一方のＩＦ部で受信しつつ他方のＩＦ部でチェックが可能であるか否かを判断する（ステップＳＴ１１）。図４中のパターン１〜４では、稼働率が低い方のＩＦ部を受信に使用することで、一方のＩＦ部で受信しつつ、他方のＩＦ部でチェックが可能である。受信音の音質を低下させることなく、他の周波数のチェックが可能である。
【００５９】
これに対して、図４中のパターン５および６では、基本的に、マルチパス成分を除去するために両方のＩＦ部（第一ＩＦ部１１および第二ＩＦ部１２）を使用している。そのため、空いているＩＦ部が無く、そのままの受信設定では他の周波数をチェックすることができない。ただし、パターン５の場合には、パターン６の場合と異なり、マルチパス成分の割合が高くないと予想される。そのため、パターン５の場合には、稼働率が小さい方のＩＦ部のみで受信することにより、音質の低下は避けられないものの、視聴可能な音質が得られることを期待できる。
【００６０】
そのため、この実施の形態では、制御部４７は、パターン１〜５の受信状況である場合、第一ＩＦ部１１および第二ＩＦ部１２の中の一方のＩＦ部で受信しつつ他方のＩＦ部でチェックが可能であると判断し、パターン６の場合のみに、そのチェックが可能でないと判断する。
【００６１】
現在の設定状況がパターン１〜５によるものであって、第一ＩＦ部１１および第二ＩＦ部１２の中の一方のＩＦ部で受信しつつ他方のＩＦ部でチェックが可能であると判断すると、制御部４７は、第一ＩＦ部１１および第二ＩＦ部１２の中の稼働率が小さい方を受信用として選択し、残りのＩＦ部をチェック用として選択する。制御部４７は、選択した受信周波数を受信用のＩＦ部に受信させるとともに、チェックする他の周波数をチェック用のＩＦ部に受信させる（ステップＳＴ１２およびＳＴ１３）。
【００６２】
なお、図４に示すように、この受信設定により、制御部４７は、パターン１の環境下では第一ＩＦ部１１および第二ＩＦ部１２の中の一方が受信用として選択され、パターン２の環境下では第一ＩＦ部１１および第二ＩＦ部１２の中の一方が受信用として選択され、パターン３の環境下では第一ＩＦ部１１が受信用として選択され、パターン４の環境下では第二ＩＦ部１２が受信用として選択され、パターン５の環境下では第一ＩＦ部１１および第二ＩＦ部１２の中の一方が受信用として選択される。
【００６３】
また、チェックする他の周波数がＲＤＳデータなどにより特定されていない場合、制御部４７は、周波数を走査し、所定の受信感度が得られる周波数であって且つ受信中の放送周波数と同じ番組ＩＤ（番組識別番号）が復号される周波数を、チェックする他の周波数として受信させればよい。
【００６４】
ステップＳＴ１２およびＳＴ１３の設定により、第一受信状況検出回路４１および第二受信状況検出回路４３の中のチェック側のものは、チェックする周波数の第一放送データについての受信電界強度などの検出値を制御部４７へ出力する。また、第一ＲＤＳ復号器４２および第二ＲＤＳ復号器４４の中のチェック側のものは、チェックする周波数の第一放送データについてのＲＤＳ復号クオリティなどの検出値を制御部４７へ出力する。そして、制御部４７は、このチェック側の検出値に基づいて、チェック側の放送データの受信状況値を演算する。また、制御部４７は、受信側の検出値に基づいて、受信側の放送データの受信状況値を演算する（ステップＳＴ１４）。
【００６５】
チェックする他の周波数の受信状況値と受信周波数の受信状況値とを演算した後、制御部４７は、それらの値に応じた受信周波数の変更処理を実行する。具体的には、制御部４７は、まず、受信周波数の受信状況値が所定の基準値より良いか否か（大きいか否か）を判断する（ステップＳＴ１５）。そして、受信周波数の受信状況値が所定の基準値より良い（大きい）場合、受信側のＩＦ部（第一ＩＦ部１１および第二ＩＦ部１２の中の一方のＩＦ部）による受信周波数を変更しない。
【００６６】
受信周波数の受信状況値が所定の基準値より悪い（小さい）場合、制御部４７は、さらに、この受信周波数の受信状況値と他の周波数の受信状況値とを比較する（ステップＳＴ１６）。そして、他の周波数の受信状況値が受信周波数の受信状況値より良い（大きい）場合、制御部４７は、受信側のＩＦ部による受信周波数を、このチェックした他の周波数へ変更する（ステップＳＴ１７）。また、他の周波数の受信状況値が受信周波数の受信状況値より悪い（小さい）場合には、制御部４７は、受信側のＩＦ部による受信周波数を変更しない。
【００６７】
以上のステップＳＴ１５からＳＴ１７までの受信状況値に応じた受信周波数の変更制御を終えると、制御部４７は、チェック予定のすべての周波数についてチェックし終えたか否かを判断する（ステップＳＴ１８）。制御部４７は、たとえばＲＤＳデータ中に未処理の他の放送周波数が残っているか否かに基づいてチェックし終えたか否かを判断したり、すべての周波数のスキャンが完了したか否かに基づいてチェックし終えたか否かを判断したりすればよい。
【００６８】
そして、チェック予定のすべての周波数についてチェックし終えていない場合には、制御部４７は、チェック用ＩＦ部（第一ＩＦ部１１および第二ＩＦ部１２の中の他方のＩＦ部）の周波数を次にチェックする周波数に切り替え（ステップＳＴ１３）、１回目と同様の受信状況値の比較処理に基づく周波数切替処理（ステップＳＴ１３〜ＳＴ１７）を繰り返す。
【００６９】
また、チェック予定のすべての周波数についてチェックし終えた場合、制御部４７は、最終的に受信側に設定されている周波数を受信周波数とする。なお、受信側の設定が１回も変更されなかった場合には、元々の受信周波数が受信側に設定されている。
【００７０】
図３のチェック処理を終えると、制御部４７は、図２に示すように、第一ＩＦ部１１および第二ＩＦ部１２の設定を、チェック前の受信設定に戻す（ステップＳＴ６）。ただし、制御部４７は、受信周波数として、チェック終了時に受信側に設定されている周波数を用いる。これにより、ＲＤＳラジオ放送受信機１は、選択した放送周波数と同一内容を、最も良い条件で受信可能な受信周波数によりＲＤＳラジオ放送を受信する。
【００７１】
なお、チェック前にパターン５であると判断した場合、このステップＳＴ１２からＳＴ１８までの１チューナでのチェック処理期間において、制御部４７は、図４の備考欄に示すように、ノイズを緩和するための音響効果処理をＦＭ処理部３２に指示する。ノイズを緩和するために使用できる音響効果処理としては、たとえば、ソフトミュート処理、ミュート処理、ステレオブレンド処理、ｆ特調整処理などがある。
【００７２】
これらの音響効果処理を実行することにより、ＦＭ処理部３２は、ノイズを抑えた音声データを生成し、ＤＡＣ１８は、この音声データから音声信号を生成する。すなわち、１チューナ受信時においてマルチパスノイズなどに起因して発生する音声ノイズは抑制される。その結果、パターン５の環境下においてＭＰ除去放送データに基づく音声出力から、第一放送データあるいは第二放送データに基づく音声出力へ切り替えたときに、その切替後の音質の低下を目立ち難くすることができる。チェック処理中のノイズ増加を極力防ぐことができる。
【００７３】
現在の設定状況が図４中のパターン６によるものであって、第一ＩＦ部１１および第二ＩＦ部１２の中の一方のＩＦ部で受信しつつ他方のＩＦ部でチェック（１チューナ受信）が可能でないと判断すると、制御部４７は、図３に示すように、ＦＭ処理部３２にミュートを指示した（ステップＳＴ２１）後、第一ＩＦ部１１あるいは第二ＩＦ部１２の中の稼働率が低い方のＩＦ部に、選択した受信周波数を受信させるとともに、稼働率が高い方のＩＦ部に、チェックする他の周波数を受信させる（ステップＳＴ２２およびＳＴ２３）。ＦＭ処理部３２が出力をミュートすることで、ＤＡＣ１８も出力をミュートする。
【００７４】
その後、制御部４７は、チェック側の検出値に基づいて、チェック側の放送データの受信状況値を演算するとともに、受信側の検出値に基づいて、受信側の放送データの受信状況値を演算する（ステップＳＴ２４）。
【００７５】
また、制御部４７は、それらの受信状況値に応じた受信周波数の変更処理を実行する。具体的には、制御部４７は、これらの受信状況値を比較し（ステップＳＴ２５）、選択した受信周波数が設定されていた側のＩＦ部（第一ＩＦ部１１および第二ＩＦ部１２の中の一方のＩＦ部）の周波数を、受信状況値が良い（大きい）方の周波数へ変更する（ステップＳＴ２６）。
【００７６】
以上の受信状況値に応じた受信周波数の変更制御を終えると、制御部４７は、チェック予定のすべての周波数についてチェックし終えたか否かを判断する（ステップＳＴ２７）。そして、チェック予定のすべての周波数についてチェックし終えていない場合には、制御部４７は、チェック用ＩＦ部（第一ＩＦ部１１および第二ＩＦ部１２の中の他方のＩＦ部）の周波数を次にチェックする周波数に切り替え（ステップＳＴ２３）、１回目と同様の受信状況値の比較処理に基づく周波数切替処理（ステップＳＴ２３からＳＴ２６）を繰り返す。また、チェック予定のすべての周波数についてチェックし終えた場合、制御部４７は、最終的に受信側に設定されている周波数を受信周波数として選択する。また、制御部４７は、ＦＭ処理部３２のミュートを解除する（ステップＳＴ２８）。ＦＭ処理部３２が出力ミュートを解除することで、ＤＡＣ１８も出力ミュートを解除する。
【００７７】
以上の図３の２チューナによるチェック処理を終えると、制御部４７は、図２に示すように、第一ＩＦ部１１および第二ＩＦ部１２の設定を、チェック前の受信設定に戻す（ステップＳＴ６）。ただし、制御部４７は、受信周波数として、チェック終了時に受信側に設定されている周波数を用いる。これにより、ＲＤＳラジオ放送受信機１は、選択した放送周波数と同一内容を、最も良い条件で受信可能な受信周波数によりＲＤＳラジオ放送を受信する。
【００７８】
以上のように、この実施の形態によれば、ＲＤＳラジオ放送受信機１は、マルチパス成分の除去処理がなされたＭＰ除去放送データに基づく受信中（２チューナ受信中）に受信状態を１チューナ受信へ切り替え、さらに、この切替により空いた第一ＩＦ部１１あるいは第二ＩＦ部１２を用いて他の周波数をスキャンする。ＲＤＳラジオ放送受信機１は、２チューナ受信中に、受信中の周波数以外の他の周波数において良好な受信が可能なものが存在する場合、その良好な周波数をスキャンし、受信周波数をその良好な周波数へ切り替えることができる。
【００７９】
すなわち、ＲＤＳラジオ放送受信機１は、たとえば、受信周波数において軽度のマルチパスノイズが断続的に入りつづけるような電波状況下であっても、あるいは、電界強度が高い地域においてマルチパスノイズ除去機能で除去しきれないような強いマルチパスノイズが断続的に入りつづけるような電波状況下であっても、マルチパス成分の除去処理がなされたＩＦデータ信号に基づく受信中において他の周波数をスキャンし、受信周波数をより良い周波数へ切り替えることができる。ＲＤＳラジオ放送受信機１は、選択した受信周波数より良い周波数が存在する場合において、選択した受信周波数による受信をし続けることなく、受信周波数をスムースに切り替えることができる。
【００８０】
また、この実施の形態の制御部４７は、ＭＰ除去放送データに基づく受信中（２チューナ受信中）のスキャンを実行するために、ＭＰ除去受信状況値から第一受信状況値を減算してなる稼働率と、ＭＰ除去受信状況値から第二受信状況値を減算してなる稼働率とを演算し、その稼働率が低い側のものを受信用として選択して切り替える。
【００８１】
したがって、ＲＤＳラジオ放送受信機１は、電波状態を正確に把握し、第一ＩＦ部１１および第二ＩＦ部１２の中でマルチパス成分が最も少ないＩＦ部により受信をするように切り替える。そのため、ＲＤＳラジオ放送受信機１は、マルチパス除去動作中において他の周波数をスキャンするために１つのＩＦ部による受信へ切り替えたとしても、（すなわち、２チューナ受信から１チューナ受信へ切り替えたとしても、）その切り替えによる受信状況の低下を最小限に抑えることができる。ＲＤＳラジオ放送受信機１から出力される音声を可聴可能なものに維持することができる。
【００８２】
また、この実施の形態の制御部４７は、図４中のパターン５に示すように、すべてのＩＦ信号についてマルチパス成分除去機能の稼働率が高く、且つ、ＭＰ除去放送データの受信状況が良好である場合、ＦＭ処理部３２によりノイズを緩和するための音響効果処理をさせる。
【００８３】
したがって、ＭＰノイズ除去回路１５が有効に機能している良好な受信中において１つのＩＦ部による受信へ切り替えたとしても（すなわち、２チューナ受信から１チューナ受信へ切り替えたとしても、）、その切替後のマルチパスノイズなどによる音質の低下を目立ち難くすることができる。スキャン中のノイズ増加を極力防ぐことができる。そのため、ＲＤＳラジオ放送受信機１は、たとえば、受信周波数において軽度のマルチパスノイズが断続的に入りつづけてしまうような電波状況下において、ユーザに不快感を与えないような受信を継続しつつ他の周波数をスキャンし、受信周波数をより良い周波数へ切り替えることができる。
【００８４】
また、この実施の形態の制御部４７は、図４中のパターン６に示すように、第一ＩＦデータ信号および第二ＩＦデータ信号についてマルチパス成分除去機能の稼働率が高く、且つ、ＭＰ除去放送データの受信状況が良好でない場合、ＦＭ処理部３２による音声信号の出力をミュートする。
【００８５】
したがって、ＲＤＳラジオ放送受信機１から出力される音声を可聴可能なものに維持することができない可能性が高いときには、スキャン中の受信音がミュートされる。そのため、ＭＰ除去放送データに基づいても良好な受信ができない状況下において、１つのＩＦ部による受信へ切り替えたことに起因する音質の悪化を防止することができる。そのため、ＲＤＳラジオ放送受信機１は、たとえば、電界強度が高い地域においてマルチパスノイズ除去機能で除去しきれないような強いマルチパスノイズが断続的に入りつづけるような電波状況下において、その状況を判別し、ユーザに不快感を与えることなく他の周波数をスキャンし、受信周波数をより良い周波数へ切り替えることができる。スキャン中に、ユーザがチューニングが得られていないと判断し、他の放送局へ切り替えてしまわないようにすることができる。
【００８６】
以上の実施の形態は、本発明の好適な実施の形態の例であるが、本発明は、これに限定されるものではなく、発明の要旨を逸脱しない範囲において種々の変形や変更が可能である。
【００８７】
上記実施の形態では、第一受信状況検出回路４１などの検出回路は、第一復調器などの復調器において復調されたベースバンド信号に基づいて、受信状況を検出している。この他にもたとえば、検出回路は、復調器の前段において、第一ＩＦ部１１、第二ＩＦ部１２、あるいはＭＰノイズ除去回路１５により生成されたＩＦデータ信号に基づいて受信状況を検出するようにしてもよい。
【００８８】
すなわち、演算手段としての制御部４７は、実施の形態のように、ＭＰノイズ除去回路１５の処理に基づくベースバンド信号の受信状況を示す値から、各ＩＦ部１１，１２の処理に基づく各ベースバンド信号の受信状況を示す値を減算することで、ＭＰノイズ除去回路１５による各ＩＦデータ信号に対するマルチパス成分の除去機能の稼働率を演算するようにしてもよいし、あるいは、この変形例のように、ＭＰノイズ除去回路１５によりマルチパス成分の除去処理がなされたＩＦデータ信号の受信状況を示す値から、各ＩＦ部１１，１２により生成される各ＩＦデータ信号の受信状況を示す値を減算することで、ＭＰノイズ除去回路１５による各ＩＦデータ信号に対するマルチパス成分の除去機能の稼働率を演算するようにしてもよい。
【００８９】
上記実施の形態では、制御部４７は、図４中のパターン５の場合、ＦＭ処理部３２によりノイズを緩和するための音響効果処理をさせることで、スキャン中のノイズ増加を極力防いでいる。この他にもたとえば、制御部４７は、ＩＦフィルタ２５の帯域幅を狭くすることで、スキャン中のノイズ増加を極力防ぐようにしてもよい。
【００９０】
ＲＤＳラジオ放送電波では、モノラル音声成分と、ステレオ音声成分とが別々の周波数帯により搬送される。したがって、たとえば、ＩＦフィルタ２５の帯域幅をモノラル音声成分のみを透過するように狭くすることで、スキャン中の高周波ノイズを減らすことができる。
【００９１】
上記実施の形態では、制御部４７は、図２および図３に示すように、すべての周波数についてのスキャンが終わるまで、他の周波数のチェック処理を終えない。この他にもたとえば、制御部４７は、他の周波数のスキャン中に、受信再生側の受信状況値が所定値より低下したらチェック処理を中止し、ＭＰ除去放送データによる受信などへ戻すようにしてもよい。
【００９２】
この変形例では、チェック処理中に受信状況が悪化することがあったとしても、その再生音の悪化は一定の範囲内に抑えられる。その結果、たとえば本来、ＭＰ除去放送データによる受信（２チューナ受信）をすべき環境下において、第一ＩＦ部１１および第二ＩＦ部１２の中の１つのＩＦ部による受信（１チューナ受信）へ切り替えたことに起因する再生音の悪化は、ユーザが不快に感じて受信局（受信周波数）を切り替えてしまわない程度に抑えることができる。
【００９３】
上記実施の形態では、制御部４７は、上記式１に基づいて各受信状況値を演算している。この他にもたとえば、制御部４７は、電界強度、マルチパス、隣接信号、変調度、デチューニング、受信クオリティ、ＲＤＳ復号クオリティおよびエラー訂正以外の、受信状況を示す値を用いて各受信状況値を演算しても、あるいは、それらの一部のもののみを用いて各受信状況値を演算してもよい。
【００９４】
特に、ＭＰＲＤＳ復号器４６などのＲＤＳ復号器が生成する検出値（ＲＤＳ復号クオリティおよびエラー訂正）以外の受信状況を示す値を用いることにより、ＭＰＲＤＳ復号器４６が不要となる。図５は、ＭＰＲＤＳ復号器４６を持たないＲＤＳラジオ放送受信機１の変形例（その１）の構成を示すブロック図である。なお、図５のＲＤＳラジオ放送受信機１は、この他にも、図１のＲＤＳラジオ放送受信機１に比べて、ＩＦセレクタ５１を有する。図５のＩＦセレクタ５１は、制御部４７からの指示に基づいて、第一ＩＦ部１１が生成したＩＦデータ信号の第一復調部１３への供給を停止したり、第二ＩＦ部１２が生成したＩＦデータ信号の第二復調部１４への供給を停止したり、ＭＰノイズ除去回路１５が生成したＩＦデータ信号のＭＰ用復調部１６への供給を停止したりする。
【００９５】
図６は、ＲＤＳラジオ放送受信機１の変形例（その２）の構成を示すブロック図である。図６のＲＤＳラジオ放送受信機１は、ＩＦセレクタ６１を有する。図６のＩＦセレクタ６１は、制御部４７からの指示に基づいて、第一ＩＦ部１１が生成したＩＦデータ信号と、第二ＩＦ部１２が生成したＩＦデータ信号と、ＭＰノイズ除去回路１５が生成したＩＦデータ信号との中から２つを選択し、第一復調部１３および第二復調部１４へ供給する。この図６のＲＤＳラジオ放送受信機１でも、第一ＩＦ部１１および第二ＩＦ部１２の中の一方のＩＦ部により受信をしながら、残りのＩＦ部により他の周波数をスキャンすることができる。このため、図６のＲＤＳラジオ放送受信機１では、ＭＰ用復調部１６、ＭＰ受信状況検出回路４５、ＭＰＲＤＳ復号器４６が無い。
【００９６】
上記実施の形態では、制御部４７は、各受信状況値および各稼働率は、各回のチェック処理で使用されている。この他にもたとえば、制御部４７は、受信状況値および稼働率を周波数と対応付けて図示外のメモリなどに保存し、次回のチェック処理に利用するようにしてもよい。このような過去の受信状況値および稼働率は、たとえば、複数の周波数のスキャン順などを変更するために利用することができる。たとえば、制御部４７は、より良い（大きい）受信状況値が得られた順番でメモリに記憶される複数の周波数をスキャンすればよい。このような順番で複数の周波数をスキャンすることにより、チェックの開始直後に、より良い（大きい）受信状況値が得られる周波数が受信周波数として設定され、最適な周波数の受信（出力）が開始されることを期待することができる。
【００９７】
さらに他にもたとえば、制御部４７は、受信状況値、稼働率および周波数に対して、ＧＰＳ（Ｇｌｏｂａｌ  Ｐｏｓｉｔｉｏｎｉｎｇ  Ｓｙｓｔｅｍ）などによる位置情報を対応付けてメモリに保存し、次回のスキャン時に参照するようにしてもよい。これにより、ユーザは、メモリに保存されている複数の周波数の中から受信可能なエリアのものを選択し、その選択した複数の周波数について、より良いものに対応するものから順番にスキャンすることができる。
【００９８】
上記実施の形態は、２チューナによるダイバーシティ方式を採用したＲＤＳラジオ放送受信機１の例である。この他にもたとえば、受信機は、３つ以上のチューナによるダイバーシティ方式を採用したＲＤＳラジオ放送受信機１、２つ以上のチューナによるダイバーシティ方式を採用したＦＭラジオ放送受信機、２つ以上のチューナによるダイバーシティ方式を採用したＡＭ（Ａｍｐｌｉｔｕｄｅ  Ｍｏｄｕｌａｔｉｏｎ）ラジオ放送受信機であってもよい。
【００９９】
さらに他にもたとえば、受信機は、２つ以上のチューナによるダイバーシティ方式を採用した地上波デジタル放送を受信する受信機であってもよい。なお、この地上波デジタル放送受信機は、音声信号とともに映像信号を電波により受信し、映像および音声を出力する。
【０１００】
これらの受信機においても、たとえば同じ内容の放送が複数の周波数により受信可能な場合には、各チューナの受信状況値や稼働率などを演算することで、１つの周波数をマルチパス除去受信（２チューナ受信）している最中に、同一放送の他の周波数をスキャンし、受信中の周波数より良好な受信が可能な周波数へ切り替えることができる。
【産業上の利用可能性】
【０１０１】
本発明は、ＲＤＳラジオ放送受信機などにおいて、受信中の周波数スキャンを実現するために好適に利用することができる。
【図面の簡単な説明】
【０１０２】
【図１】図１は、本発明の実施の形態に係るＲＤＳラジオ放送受信機を示すブロック図である。
【図２】図２は、図１中の制御部による受信設定を示すフローチャートである。
【図３】図３は、図２中のチェック処理を示すフローチャートである。
【図４】図４は、状況判断と受信設定との関係を示すテーブルである。
【図５】図５は、ＲＤＳラジオ放送受信機の変形例（その１）の構成を示すブロック図である。
【図６】図６は、ＲＤＳラジオ放送受信機の変形例（その２）の構成を示すブロック図である。
【符号の説明】
【０１０３】
１  ＲＤＳラジオ放送受信機（受信機）
１１  第一ＩＦ部（中間周波数信号生成手段）
１２  第二ＩＦ部（中間周波数信号生成手段）
１５  ＭＰノイズ除去回路（マルチパス成分除去手段）
１８  ＤＡＣ（音声信号生成手段の一部）
３１  ＦＭ復調回路（ベースバンド信号生成手段）
３２  ＦＭ処理部（音声信号生成手段の一部）
４７  制御部（制御手段、演算手段）
【図１】
0004900086.tif 000002
【図２】
0004900086.tif 000003
【図３】
0004900086.tif 000004
【図４】
0004900086.tif 000005
【図５】
0004900086.tif 000006
【図６】
0004900086.tif 000007